(57)【要約】      （修正有）【解決手段】本発明は、旋回可能またはスライド可能な、多重ガラスの冷蔵庫ドア（３２，３２'）によって閉鎖可能である、垂直面にある入出開口部（１６）を有する、食料品の保管用の冷蔵庫（１０）に関する。この冷蔵庫ドア（３２，３２'）は、少なくとも２つの互いに離間した透明なガラス板（５４，５５）を備え、これらのガラス板は、２つの垂直方向のスペーサ部材（５６'，５７'）および２つの水平方向にスペーサ部材（５８'，５９'）によって縁部側で互いに接続されている。これらのスペーサ部材（５６'，５７'，５８'，５９'）は、ガラス板の中間層を気密に封止している。しかしながら、冷蔵庫ドア（３２，３２'）の少なくとも１つの垂直縁部では、透明スペーサ部材（５７'）は支持用の枠部材が全く設けられていない。【効果】これによって全ての視角からの冷蔵庫ドアの最大の透視性が達成される。【選択図】図１
2018159541.tif 000002
【特許請求の範囲】
【請求項１】
旋回可能またはスライド可能な、多重ガラスの冷蔵庫ドア（３２，３２'）によって閉鎖可能である、垂直面にある入出開口部（１６）を有する、食料品の保管用の冷蔵庫（１０）であって、
前記冷蔵庫ドア（３２，３２'）は、縁部のスペーサ部材（５６'，５７'，５８'，５９'）によって互いに離間された、少なくとも２つの透明なガラス板（５４，５５）を備え、
前記冷蔵庫ドア（３２，３２'）の少なくとも１つの透明垂直縁部に、透明な材料からなる垂直方向の透明スペーサ部材（５７'；１５７'）が設けられており、支持用の枠部材が全く設けられておらず、
前記上部水平枠部材（５８）および／または前記下部水平枠部材（５９）に付随するスペーサ部材（５６'，５８'，５９'）は、乾燥剤（６１）が充填された１つの中空成形体（６０）を備え、
前記少なくとも２つのガラス板（５４，５５）の間にある中間層（６２）は断熱ガス（８２）で充填されて気密に封止されており、当該断熱ガスが漏れないように、そして外部から湿気が侵入しないようになっている、
ことを特徴とする冷蔵庫。
【請求項２】
前記透明スペーサ部材（５７'；１５７'）は、前記ガラス板（５４，５５）と接着されていることを特徴とする、請求項１に記載の冷蔵庫（１０）。
【請求項３】
前記透明スペーサ部材（５７'；１５７'）は、透明な接着剤、好ましくはアクリル基剤の接着剤（５０）によって前記ガラス板（５４，５５）と接着されていることを特徴とする、請求項２に記載の冷蔵庫（１０）。
【請求項４】
前記透明スペーサ部材（５７'；１５７'）の末端には、密封材（１１２）から成る、分離された密封剤（Dichtmittel）の帯状体（１１０）が設けられていることを特徴とする、請求項１乃至３のいずれか１項に記載の冷蔵庫（１０）。
【請求項５】
前記密封材は透明であることを特徴とする、請求項４に記載の冷蔵庫（１０）。
【請求項６】
前記密封材（１１２）は、前記スペーサ部材用接着剤（５０）と同質であることを特徴とする、請求項４または５に記載の冷蔵庫（１０）。
【請求項７】
前記密封材（１１２）は、前記スペーサ部材用接着剤（５０）と同質でなく、好ましくはブチルゴムから成っていることを特徴とする、請求項４または５に記載の冷蔵庫（１０）。
【請求項８】
前記冷蔵庫ドア（３２，３２'）は、その上部および下部の水平縁部に分離された枠部材（５８，５９）を備え、当該枠部材は、前記ガラス板（５４，５５）の端面（７４）を把持することを特徴とする、請求項１乃至７のいずれか１項に記載の冷蔵庫（１０）。
【請求項９】
前記断熱ガスはアルゴンガスであることを特徴とする、請求項１乃至８のいずれか１項に記載の冷蔵庫（１０）。
【請求項１０】
前記透明スペーサ部材（５７'）は、シリコーン，ＰＭＭＡ，またはポリカーボネートから成っていることを特徴とする、請求項１乃至９のいずれか１項に記載の冷蔵庫（１０）。
【請求項１１】
前記透明垂直縁部には、衝撃保護帯（７２；１７２）が設けられており、当該衝撃保護帯は前記ガラス板（５４，５５）の端面（７４）を覆っていることを特徴とする、請求項１乃至１０のいずれか１項に記載の冷蔵庫（１０）。
【請求項１２】
前記透明スペーサ部材（５７'，１５７'）は、前記スペーサ部材用接着剤（５０）を収容するための接着剤溝（６６；１６６）を備えることを特徴とする、請求項１乃至１１のいずれか１項に記載の冷蔵庫（１０）。
【請求項１３】
前記透明スペーサ部材（５７'）は、前記衝撃保護帯（７２）と一体的に形成されており、前記衝撃保護帯と共にＴ形状の成形体を形成することを特徴とする、請求項１１に記載の冷蔵庫（１０）。
【請求項１４】
請求項１乃至１３のいずれか１項に記載の冷蔵庫（１０）において、
前記少なくとも２つのガラス板（５４，５５）は、上部水平枠部材（５８）、下部水平枠部材（５９）、および／または関節側の垂直枠部材（５６）によって枠嵌めされており、
上部水平枠部材（５８）、下部水平枠部材（５９）、および／または関節側の垂直枠部材（５６）に付随するスペーサ部材（５６‘、５８’、５９‘）は、前記透明スペーサ部材（５７’）と異なる、不透明な金属からなっている、
ことを特徴とする冷蔵庫（１０）。
【請求項１５】
前記透明スペーサ部材（５７'）は、前記少なくとも２つのガラス板の垂直縁部まで延在していることを特徴とする、請求項１乃至１４のいずれか１項に記載の冷蔵庫（１０）。
【発明の詳細な説明】
【技術分野】
【０００１】
本発明は冷蔵庫に関し、とりわけ食料品の保管のための業務用冷蔵庫に関する。  
【背景技術】
【０００２】
ここでは冷蔵庫として冷却されたキャビネットを想定しており、このキャビネットは、固有の冷却装置を備えるか、または離れた冷却装置と接続されている。この冷蔵庫は、冷蔵室をこの冷蔵庫の周囲の空間温度以下の温度に保持する。冷蔵庫にはいわゆる冷凍庫（Tiefkuhlschranke）も含まれ、これらにおいては冷凍された食料品がたとえば−１８℃以下の温度で保管される。この冷蔵庫は、垂直に設置された冷蔵室を備え、この冷蔵室には複数の重なって配置された棚板が配設されている。
【０００３】
この冷蔵庫は、１つの垂直面に入出開口部（Zugriffsoffnung）を備え、この入出開口部は少なくとも１つの旋回可能またはスライド可能な冷蔵庫ドアである。この冷蔵庫ドアは、少なくとも２つの互いに離間した透明なガラス板からなる多層ガラスを備える。  この２つのガラス板の間の距離は、これらのガラス板の間でこれらの縁部側に配設されたスペーサ部材（Abstandselemente）によって調整される。冷蔵庫のこれらの２つのガラス板は、さらに枠部材によって挟み込まれており、この枠部材はこれらのガラス板を支持しつつ保持しており、この枠部材で冷蔵庫ドアに懸架されている。
【０００４】
このスペーサ部材もまたこの枠部材も基本的に、これらのガラス板の周りの不透明なドア枠を形成する金属成形体（Metallprofilen）となっている。このドア枠は、外からの冷蔵室への視界すなわち棚板上にある食料品への視界を制限する。
【発明の概要】
【発明が解決しようとする課題】
【０００５】
したがって本発明の課題は、外からのその冷蔵室への視界を改善した冷蔵庫を提供することである。
【課題を解決するための手段】
【０００６】
本発明によれば、冷蔵庫ドアの少なくとも１つの透明な垂直縁部側には、透明な材料からなる垂直な透明なスペーサ部材が設けられており、この透明垂直端部には、ガラス板を縁部で挟み込む枠部材が全く設けられていない。２つ以上冷蔵庫ドアが配設されている入出開口部には、閉じた冷蔵庫ドアの入出開口部中央部にある垂直縁部であるそれぞれの冷蔵庫ドアの透明垂直縁部、すなわち上記の垂直縁部があるが、これは外からの冷蔵室への視界を最も損ない得るものである。この透明垂直縁部には、支持用の枠部材が全く設けられていないので、この透明垂直縁部の見通しの良さが大幅に改善される。
【０００７】
上記の垂直な透明スペーサ部材は、２つのガラス板を互いに結合し、これらのガラス板を互いに所定の間隔で保持する。さらにこの透明スペーサ部材は、これら２つの平行なガラス板の間のガラス板間中間層（Scheibenzwischenraum）は、外部に対して密封されており、このガラス板の中間層におけるガスが漏れないよう、そして外部からの空気中の湿気がこの中に入り得ないようになっている。この垂直な透明スペーサ部材は、あまり支持機能はなく、主に密封機能を担っている。以上の構成によって、全観察角度からのガラス板ユニットの最大の見通しの良さが達成される。
【０００８】
好ましくは、上記の透明スペーサ部材は、シリコーン，ＰＭＭＡ，ポリカーボネート，または他の透明な熱可塑性物質からなっている。好ましくはこの透明スペーサ部材は、この透明スペーサ部材をこれに接するガラス板にできるかぎり隙間なく平坦に押し当てられ、長期間に渡り、かつ衝撃負荷の際にしっかり固定されるようにある程度の弾性を備える。
【０００９】
熱可塑性物質は、所定の温度領域で変形することができるプラスチックである。  好ましくは、上記の垂直スペーサ部材の製造にはポリカーボネートが用いられる。ポリカーボネートは、良好な断熱特性を備え、長期間に渡って透明かつ色安定である。
【００１０】
好ましくは、一方の、上記の透明スペーサ部材と、他方の、上記の２つのガラス板との間の縁部結合部は、材質接合（stoffschlussig）によって形成されている。このスペーサ部材およびガラス板は、特に好ましくは、接着剤によって互いに接着されている。この接着結合は、機械的結合および気密性の気密封止部を形成する。この接着剤は、好ましくはアクリル基剤で出来ているが、これはこのような接着剤が、その透明性，気密性，および接着性に関し良好な長期間特性を備えているからである。
【００１１】
これらのガラス板の間にあるガラス板中間層は、好ましくは気密に封止されており、実質的に断熱に用いられる。このガラス板間中間層には、好ましくは断熱性の絶縁ガスが存在している。この絶縁ガスは好ましくは、希ガスのアルゴンである。アルゴンは比較的大きな分子サイズを有するので、このアルゴンガスは、上記の透明スペーサ部材あるいは接着部を通って拡散しないかあるいは非常にゆっくりと拡散する。
【００１２】
好ましくは上記の透明スペーサ部材の末端は、密封材（Dichtmasse）からなる、分離された密封剤（Dichtmittel）の帯状体となっている。この密封材は、このスペーサ部材に接しており、縁部側で２つのガラス板の間の中間層を封止する。これは重要かつ必要なことである。というのはこのスペーサ部材用接着剤は、一義的にこのスペーサ部材のガラス板との堅固な機械的接続のために設けられているが、かならずしも充分に気密なバリヤではないからである。これに対して上記の密封材の帯状体は、上記の２つのガラス板を互いに機械的に結合するために十分に大きな保持力を持っておらず、一義的にはむしろこのガラス板の中間層の気密封止として機能する。
【００１３】
この密封材は、好ましくは透明である。この密封材は、スペーサ部材用接着剤と同質に形成されていてよい。代替としてこの密封材は、スペース部材の接着剤と同質でなく、好ましくはブチルゴムから成っている。
【００１４】
１つの好ましい実施形態においては、冷蔵庫ドアは、その上部および下部の水平縁部に分離された枠部材を備え、これらの分離された枠部材は、これが当接するガラス板の端部側を包みかつ挟み込んでいる。これらの枠部材は、不透明であり、金属から成っている。さらにこの当接する枠部材に付随するスペース部材は、不透明な材料から成っており、この不透明な材料は上記の透明スペース部材と同等ではない。
【００１５】
特にこの下部の水平端部および上部の水平縁部は、冷蔵室への視界を邪魔しないかまたはわずかにのみ邪魔するので、とくにこれらの２つの水平端部では、たとえば金属成形体で形成された、大きな剛性を有する冷蔵庫ドアの支持部品を用いることができる。この冷蔵庫ドア全体の安定性および一体性は、これに適合した、この冷蔵庫ドアの２つの水平縁部で安定に配設された枠部材によって保証される。とりわけ好ましくは、冷蔵庫ドアの透明な垂直側部の反対側にあって冷蔵庫ドアが閉じられているときは、入出開口部の縁部に配設されている、第２の垂直側部は、１つの分離された枠部材およびスペース部材で構成されていてよく、これらではこの枠部材もスペース部材も不透明に形成されていてよく、すなわちたとえば金属成形体から成っていてよい。
【００１６】
好ましくは、スペース部材は、接着剤溝（Klebstoffnut）を備え、この溝はスペース部材の接着剤で充填されている。この、接着剤の溝にある接着剤は、当接するガラス板とスペース部材とを、材質接合（stoffschlussig）によって結合し、またほぼ気密に結合している。この接着剤溝は、円形，楕円形，曲面，または菱形形状（rautenformigen）の断面を有してよい。この接着剤溝は、上記の透明スペース部材の長手方向でほぼ全体に、すなわちこのスペース部材の全長に渡って垂直に延在している。代替としてまたは補完として、封止部材，封止リップ（Dichtlippen），等を収容する溝が設けられていてよい。
【００１７】
好ましくは上記のガラス板は、反射防止されたガラスから成っており、好ましくは合わせガラス（Verbundsicherheitsglas）から成っている。コーティングは光反射を低減し、また良好な透明性と透視性をもたらす。特にこれら２つのガラス板が共に、コストのかかる反射防止コーティングを備える必要はない。好ましくは少なくとも１つのガラス板が反射防止コーティングを備える。外側のガラス板は、優先的にその内側面が反射防止コーティングされている。
【００１８】
好ましくは上記の垂直縁部で、２つのガラス板の端面を完全に覆う衝撃保護帯（Stosschutzstreifen）が設けられる。この衝撃保護帯は、好ましくは、少なくともこれら２つの
ガラス板厚およびカラス板間隔の合計である全幅を覆い、この衝撃保護帯がこれらのガラス板の端面を完全に覆い、好ましくはこれら２つのガラス板の外側で平坦に封止する。この衝撃保護帯は、実質的に、これら２つのガラス板の端面を上記の透明垂直縁部で機械的な損傷から保護するような機能を有する。
【００１９】
この衝撃保護帯は、好ましくは矩形の基本形状を有しているが、しかしながらそのガラス板に向いた側の端面は凸状の膨らみを備えてよい。この膨らみによって、側部からの衝撃がより良好に吸収され、ガラス板の損傷がより良好に避けられる。
【００２０】
１つの好ましい実施形態によれば、上記の透明スペース部材は、上記の衝撃保護帯と一体に形成されており、合わせてＴ型の断面形状を形成している。このスペース部材と衝撃保護帯との一体的形成によって、リーク距離（Leckageweg）が大幅に伸長され、これによってガラス板の中間層が、このガラス板の中間層からのガスの漏れに対してより良好な気密封止部となる。これに加えて特に角の無い外形が得られる。結果として、これらの平行なガラス板は、取り付けの際に既に断面がＴ形状の成形体によって互いに規定された位置に保持される。この衝撃保護帯は、これらのガラス板の端面に対する当たり止め（Anschlag）となっている。この際このＴ形状の成形体は、たとえば押出成形体として実装されて
よい。
【００２１】
以下に本発明の２つの実施形態を、図を参照して詳細に説明する。
【図面の簡単な説明】
【００２２】
【図１】２つの冷蔵庫ドアを有する冷蔵庫の斜視図を示す。
【図２】図１に示す冷蔵庫の冷蔵庫ドアの透明垂直縁部の第１の実施形態例の断面を    示す。
【図３】図１に示す冷蔵庫の下部水平縁部の断面図を示す。
【図４】図１に示す冷蔵庫の冷蔵庫ドアの透明垂直縁部の第２の実施形態例の断面図    を示す。
【００２３】
図１に示す冷蔵庫１０は、その冷蔵室１４は０℃より高い温度、たとえば＋５℃に冷却される。しかしながら基本的に、本発明は、その冷蔵室１４が０℃より低い温度、たとえば−１８℃に冷却される冷蔵庫１０にも適用され得る。
【００２４】
この冷蔵庫１０は、この冷蔵室１４を包囲するキャビネット（Schrankkorper）１２を備える。この冷蔵室には、手前側から到達可能な複数の棚板１８が配設されており、これらの棚板上に食料品２０を保管することができる。このキャビネット１２は、手前側に大面積かつ垂直平面にある入出開口部１６を備え、これを通って食料品２０に到達することができる。この入出開口部１６には、実質的に２つの冷蔵庫ドア３２，３２'から成るドア装置１１が設けられている。このドア装置１１は、冷蔵室１０に後付けされる。すなわち後でこの冷蔵庫１０を設置後に、この入出開口部１６に取り付けられる。自明ではあるが、このドア装置は、工場出荷の際に既にこの冷蔵庫１０の設けられていてもよい。
【００２５】
入出開口部１６は、上記の冷蔵庫ドア３２，３２'が閉鎖位置にある場合は、それぞれ１つの垂直面になっている２つの透明冷蔵庫ドア３２，３２'によって、閉鎖されている。これらの冷蔵庫ドア３２，３２'は、縁部で垂直な回転軸の回りで回転可能な関節によってキャビネット１２に固定されている。
【００２６】
これら２つの冷蔵庫ドア３２，３２'は、二重ガラスとなっており、したがってそれぞれ２つの透明なガラス板５４，５５を備え、外側ガラス板５４にはそれぞれ把手２２が固定されている。１つの冷蔵庫ドア３２，３２'の２つの透明ガラス板５４，５５は、それぞれ上部の水平枠部材５８，下部の水平枠部材５９，および関節側の垂直枠部材５６によって枠嵌めされている。
【００２７】
どちらの冷蔵庫ドア３２，３２'も１つの内側ガラス板５５と１つの外側ガラス板５４とを備えている。これら２つの透明ガラス板５４，５５は、それぞれ縁部に配設されたスペース部材５６'，５７'，５８'，５９'によって互いに離間されている。これら２つの離間されたガラス板５４，５５の間にはガラス中間層６２がある。このガラス板中間層６２は、断熱用のアルゴン断熱ガス８２で充填されている。外側にあるガラス板５４は、内側面が反射防止コーティングおよび／または熱反射コーティングされている。
【００２８】
図２は、図１の冷蔵庫１０の１つの冷蔵庫ドア１３２'の透明垂直縁部の第１の実施形態例の断面を示す。この冷蔵庫ドア１３２'は、その入出開口部１６の中央部にある側に、上記のガラス板５４，５５を挟み込み、また冷蔵庫ドア１３２'を直接または間接に懸架する枠部材を全く有していない。この透明垂直縁部に設けられている構造体１５０は、実質的にこれら２つのガラス板５４，５５の間の中間層６２の気密封止部となっている。この構造体１５０は、特に、これらのガラス板５４，５５の他の３つの側部を把持している、上記の枠部材５６，５８，５９と直接接続されていない。
【００２９】
これら２つのガラス板５４，５５の間には、その透明側縁部の全長に渡って透明スペーサ部材１５７'が設けられている。この透明スペーサ部材１５７'はシリコーンから成っているが、ＰＭＭＡまたはポリカーボネートから成っていてもよい。この透明スペーサ部材１５７'は、ある程度弾性があり、これが接するガラス板５４，５５の表面にぴったりと貼り付く。この透明スペーサ部材１５７'は、これらのガラス板５４，５５の縁部に直に配設されておらず、数ｍｍ内側にずらされて配設されている。この透明スペーサ部材１５７'は、アクリル基剤の接着剤５０を用いて両面でガラス板５４，５５に接着されている。この透明スペーサ部材１５７'は、その長手方向、すなわち空間的に見て垂直方向において、これらのガラス板５４，５５に向いた両側部にそれぞれ、接着剤５０を収容する接着剤溝１６６を備えている。このスペーサ部材１５７'は、実質的にこれら２つのガラス板５４，５５の正確な間隔保持のために用いられている。
【００３０】
スペーサ部材１５７'の末端に隣接して、密封材１１２から成る、密封剤の帯状体１１０で封止されている。この密封材１１２は、ブチルゴムから成っているが、他の適合した、好ましくは透明な材料から成っていてもよい。この密封剤の帯状体１１０は、特にガラス板の中間層６２の気密封止部として機能し、一方では断熱ガス８２の漏れを、あるいは他方では空気や湿気の侵入を数十年間に渡って排除しあるいは最小とする。この密封剤の帯状体１１０は、２つのガラス板５４，５５の横方向の端面７４と共に概ね平坦に封止している。
【００３１】
冷蔵庫ドア１３２'の透明な垂直縁部は、終端部としてプラスチックの衝撃保護帯１７２を備える。この衝撃保護帯は、２つの端面７４および密封剤の帯状体１１０を完全に覆っており、特に２つのガラス板５４，５５の損傷に対する機械的保護の機能を担う。この衝撃保護帯１７２の端面８０は、僅かに凸状に膨らんで形成されている。
【００３２】
図３には冷蔵庫ドア３２'または１３２'の下部水平縁部が断面で示されており、これは同じ冷蔵庫ドア３２'または１３２'の透明垂直縁部とは構造的に大きく異なっている。スペーサ部材５９として金属の中空成形体６０が設けられており、この金属の中空成形体は、ガラス板の中間層６２に向かって複数の小さな開口を備えている。この中空のスペーサ部材５９'は乾燥剤６１で充填されており、この乾燥剤は中間層６２から湿気を取り込むように機能する。このスペーサ部材５９'に隣接してブチルゴムまたは他の適合した密封剤から成る密封剤の帯状体５２が封止している。この密封剤の帯状体５２は、上記の２つのガラス板５４，５５と共に概ね縁部が平坦となるように設けられており、さらにＵ形状の金属成形体６３から形成されている枠部材５９が設けられており、この枠部材は２つのガラス板５４，５５を完全に包みかつ挟み込んでいる。この枠部材の金属成形体６３は、上記の２つのガラス板５４，５５の縁部と接着されている。
【００３３】
上部の水平縁部および冷蔵庫ドア３２，３２'の関節側の垂直縁部は、丁度図３に示されている、冷蔵庫ドア３２'の下部の水平縁部のように構成されていてよい。３つの枠部材５６，５８，５９は、互いに機械的に接続されており、たとえば互いにねじ止めおよび／または互いに接着されている。これらの３つの枠部材５６，５８，５９は、適合した回転関節を用いて間接的または直接的にキャビネット１２に固定されている。
【００３４】
図４は、冷蔵庫１０の右側の冷蔵庫ドア３２'の、関節側でない透明垂直縁部の断面を示している。ここではスペーサ部材５７'は、一体型で断面がＴ形状の成形体５７の一部であり、このＴ形状の成形体は、中央部のウェブ（Mittelsteg）７８と横方向のウェブ（Quersteg）とからなっている。この中央部のウェブ（Mittelsteg）７８は、矩形の形状を有している。この中央部のウェブ（Mittelsteg）７８は、平行に互いに対向しているガラス板５４，５５の間に延在している。この中央部のウェブ（Mittelsteg）７８は、水平方向の脛部で両側の長手方向に、円形，楕円形または菱形形状の接着剤溝６６を備える。冷蔵庫ドア３２，３２'の製造の際に、この接着剤溝６６に、適合した液体状接着剤が投入される。横方向のウェブは、衝撃保護帯７２を形成しており、上記の２つのガラス板５４，５５の横方向の端面７４上に設置されている。この横方向のウェブの長さは、Ｔ形状の成形体の中央部のウェブ７８の長さに対して約２：３となっている。この衝撃保護帯７２のガラス板に向いていない側は、僅かに凸状に膨らんだ端面８０を備えている。
【図１】
2018159541.tif 000003
【図２】
2018159541.tif 000004
【図３】
2018159541.tif 000005
【図４】
2018159541.tif 000006
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
旋回可能またはスライド可能な、多重ガラスの冷蔵庫ドア（３２，３２'）によって閉鎖可能である、垂直面にある入出開口部（１６）を有する、食料品の保管用の冷蔵庫（１０）であって、
前記冷蔵庫ドア（３２，３２'）は、縁部のスペーサ部材（５６'，５７'，５８'，５９'）によって互いに離間された、少なくとも２つの透明なガラス板（５４，５５）を備え、
前記冷蔵庫ドア（３２，３２'）の少なくとも１つの透明垂直縁部に、透明な材料からなる垂直方向の透明スペーサ部材（５７'；１５７'）が設けられており、支持用の枠部材が全く設けられておらず、
前記少なくとも２つのガラス板（５４，５５）は、上部水平枠部材（５８）、下部水平枠部材（５９）、および／または関節側の垂直枠部材（５６）によって枠嵌めされており、
前記上部水平枠部材（５８）および／または前記下部水平枠部材（５９）に付随するスペーサ部材（５６'，５８'，５９'）は、乾燥剤（６１）が充填された１つの中空成形体（６０）を備え、
前記少なくとも２つのガラス板（５４，５５）の間にある中間層（６２）は断熱ガスで充填されて気密に封止されており、当該断熱ガスが漏れないように、そして外部から湿気が侵入しないようになっている、
ことを特徴とする冷蔵庫。
【請求項２】
前記透明スペーサ部材（５７'；１５７'）は、前記ガラス板（５４，５５）と接着されていることを特徴とする、請求項１に記載の冷蔵庫（１０）。
【請求項３】
前記透明スペーサ部材（５７'；１５７'）は、透明なスペーサ部材用接着剤（５０）によって前記ガラス板（５４，５５）と接着されていることを特徴とする、請求項２に記載の冷蔵庫（１０）。
【請求項４】
前記透明スペーサ部材（５７'；１５７'）の末端には、密封材（１１２）から成る、分離された密封剤（Dichtmittel）の帯状体（１１０）が設けられていることを特徴とする、請求項３に記載の冷蔵庫（１０）。
【請求項５】
前記密封材は透明であることを特徴とする、請求項４に記載の冷蔵庫（１０）。
【請求項６】
前記密封材（１１２）は、前記スペーサ部材用接着剤（５０）と同質であることを特徴とする、請求項４または５に記載の冷蔵庫（１０）。
【請求項７】
前記密封材（１１２）は、前記スペーサ部材用接着剤（５０）と同質でなく、好ましくはブチルゴムから成っていることを特徴とする、請求項４または５に記載の冷蔵庫（１０）。
【請求項８】
前記断熱ガスはアルゴンガスであることを特徴とする、請求項４乃至７のいずれか１項に記載の冷蔵庫（１０）。
【請求項９】
前記透明スペーサ部材（５７'）は、シリコーン，ＰＭＭＡ，またはポリカーボネートから成っていることを特徴とする、請求項４乃至８のいずれか１項に記載の冷蔵庫（１０）。
【請求項１０】
前記透明垂直縁部には、衝撃保護帯（７２；１７２）が設けられており、当該衝撃保護帯は前記ガラス板（５４，５５）の端面（７４）を覆っていることを特徴とする、請求項４乃至９のいずれか１項に記載の冷蔵庫（１０）。
【請求項１１】
前記透明スペーサ部材（５７'，１５７'）は、前記スペーサ部材用接着剤（５０）を収容するための接着剤溝（６６；１６６）を備えることを特徴とする、請求項４乃至１０のいずれか１項に記載の冷蔵庫（１０）。
【請求項１２】
前記透明スペーサ部材（５７'）は、前記衝撃保護帯（７２）と一体的に形成されており、前記衝撃保護帯と共にＴ形状の成形体を形成することを特徴とする、請求項１０に記載の冷蔵庫（１０）。
【請求項１３】
前記透明なスペーサ部材用接着剤は、アクリル基剤の接着剤であることを特徴とする、請求項３乃至１２のいずれか１項に記載の冷蔵庫（１０）。
【請求項１４】
請求項１乃至１３のいずれか１項に記載の冷蔵庫（１０）において、
上部水平枠部材（５８）、下部水平枠部材（５９）、および／または関節側の垂直枠部材（５６）に付随するスペーサ部材（５６‘、５８’、５９‘）は、前記透明スペーサ部材（５７’）と異なる、不透明な金属からなっている、
ことを特徴とする冷蔵庫（１０）。
【請求項１５】
前記透明スペーサ部材（５７'）は、前記少なくとも２つのガラス板の垂直縁部まで延在していることを特徴とする、請求項１乃至１４のいずれか１項に記載の冷蔵庫（１０）。
【外国語明細書】
2018159541000001.pdf